(57)【要約】  窓ガラスへの着脱が容易であり、窓ガラスに加えられる風圧を均一に分散することで窓ガラスが割れることを防止することができる窓ガラス保護用支持具１００を提供する。窓ガラス保護用支持具１００は、窓ガラス支持用本体５０と、前記本体から放射状に一端が着脱自在に締結されて延長される複数の延長ベルト６０と、前記各延長ベルトの他端に構成される吸着板１５９と、からなり、前記窓ガラス支持用本体５０は、前記複数の延長ベルトの一端が放射状に締結されて高さの調節が可能な第１の部材１０と、前記第１の部材の一面側に設けられて窓ガラスと接触するように構成される第２の部材２０の吸着板２１と、を備える。【選択図】図１
2015532372.tif 000002
【特許請求の範囲】
【請求項１】
窓ガラス支持用本体と、前記窓ガラス支持用本体から放射状に一端が着脱自在に締結されて延長される複数の延長ベルトと、前記各延長ベルトの他端に構成される固定具と、からなることを特徴とする窓ガラス保護用支持具。
【請求項２】
前記窓ガラス支持用本体は、前記複数の延長ベルトの一端が放射状に締結される第１の部材と、前記第１の部材の一面側に設けられて窓ガラスと接触するように構成される第２の部材と、からなることを特徴とする、請求項１に記載の窓ガラス保護用支持具。
【請求項３】
前記各延長ベルトの他端に構成される固定具は、リングまたは第１の吸着手段で構成されることを特徴とする、請求項２に記載の窓ガラス保護用支持具。
【請求項４】
前記第２の部材は第２の吸着手段からなることを特徴とする、請求項３に記載の窓ガラス保護用支持具。
【請求項５】
前記第２の部材は伸縮部材からなることを特徴とする、請求項２に記載の窓ガラス保護用支持具。
【請求項６】
前記第１の部材は、支持板と、前記支持板に一端が固定されて立設される高さ調節具と、前記高さ調節具の上端に固定される延長ベルト締結具と、からなり、前記延長ベルト締結具に前記延長ベルトの一端が締結されるように構成されることを特徴とする、請求項４に記載の窓ガラス保護用支持具。
【請求項７】
前記第１の吸着手段と第２の吸着手段は、吸着板と、前記吸着板を前記窓ガラス面に吸着させるためのレバーと、からなることを特徴とする、請求項４に記載の窓ガラス保護用支持具。
【請求項８】
前記延長ベルトには、そのベルトの長さ調節具が設けられることを特徴とする、請求項４に記載の窓ガラス保護用支持具。
【請求項９】
前記延長ベルト締結具には、延長ベルトの引張力ゲージが設けられることを特徴とする、請求項６に記載の窓ガラス保護用支持具。
【請求項１０】
前記高さ調節具は、少なくとも２つ以上の棒をネジ結合して高さの調節ができるように構成されることを特徴とする、請求項６に記載の窓ガラス保護用支持具。
【請求項１１】
前記高さ調節具と前記延長ベルト締結具と、の間にはバネが介在されることを特徴とする、請求項６に記載の窓ガラス保護用支持具。
【請求項１２】
前記高さ調節具に加えられる圧力を測定することができる圧力感知センサーが前記支持板に設けられることを特徴とする、請求項６に記載の窓ガラス保護用支持具。
【発明の詳細な説明】
【技術分野】
【０００１】
本発明は、窓ガラスが台風や強風の圧力により曲がって割れてしまうことを防止できる窓ガラス支持具に関する。
【０００２】
より詳しくは、窓ガラスの内側への着脱が容易にでき、窓ガラスに加えられる風圧を均一に分散することで窓ガラスが割れてしまうことを防止できる窓ガラス保護用支持具を提供することに関する。
【背景技術】
【０００３】
一般的に、住宅、高層ビル、マンションなどの居間には、外部のビューやすっきりした視野を確保するために広いワイドガラスを使用することが多い。
【０００４】
広いワイドガラスを用いて窓を設ける場合、ビューや視野の確保は有利であるが、強風、暴風、台風などの風圧によってガラスがよく割れてしまうという短所がある。特に、海岸に位置している建物や高層の建物の窓は強風に露出されやすく、強風に露出されることによってガラスが破損される場合、深刻な被害につながる恐れもある。
【０００５】
上記のような問題点を解決するために、大韓民国実用新案登録番号第２０−３９８１７３号（引用文献１）には、所定の長さを有する支持板の一側面に、その支持板の長さ方向に沿って一定の間隔で吸着板を設けたガラス保護用支持台が提示されている。
【０００６】
上記引用文献１のガラス保護用支持台は、強風から窓のガラスをある程度は保護できるが、窓のサイズに応じて支持台の長さを合わせなければならないため、窓のサイズによって長さの異なる支持台を備えなければならないという短所がある。
【０００７】
さらに、窓の中間に一字形で支持されるため、ガラスに加えられる風圧を均一に分散させることができないという短所がある。また、使用後の保管が不便である短所がある。
【先行技術文献】
【特許文献】
【０００８】
【特許文献１】大韓民国実用新案登録番号第２０−３９８１７３号
【発明の概要】
【発明が解決しようとする課題】
【０００９】
本発明は、上記のような問題点を改善するために案出されたものであって、窓ガラスのサイズにかかわらず、いかなる窓ガラスにも簡単に着脱して窓ガラスを支持することができる窓ガラス保護用支持具を提供することを目的とする。
【００１０】
本発明の他の目的は、窓ガラスに加えられる風圧を均一に分散させることができる窓ガラス保護用支持具を提供することにある。
【００１１】
本発明の更に他の目的は、使用後の保管の便宜を図るために、体積を小さくすることができる構造の窓ガラス保護用支持具を提供することにある。
【００１２】
本発明の更に他の目的は、張力の調整が容易である窓ガラス保護用支持具を提供することにある。
【課題を解決するための手段】
【００１３】
上記の目的を達成するために、本発明の窓ガラス保護用支持具は、窓ガラス支持用本体と、前記窓ガラス支持用本体から放射状に一端が着脱自在に締結されて延長される複数の延長ベルトと、前記各延長ベルトの他端に構成される固定具と、からなることを特徴とする。
【００１４】
また、前記窓ガラス支持用本体は、前記複数の延長ベルトの一端が放射状に締結される第１の部材と、前記第１の部材の一面側に設けられて窓ガラスと接触するように構成される第２の部材と、からなることを特徴とする。
【００１５】
また、前記第２の部材は伸縮部材からなることを特徴とする。
【００１６】
さらに、前記第１の部材は、支持板と、前記支持板に一端が固定されて立設される高さ調節具と、前記高さ調節具の上端に固定される延長ベルト締結具と、からなり、前記延長ベルト締結具に前記延長ベルトの一端が締結されるように構成されることを特徴とする。
【００１７】
尚、前記高さ調節具と前記延長ベルト締結具との間には、バネが介在されることを特徴とする。
【００１８】
また、前記各延長ベルトの他端に構成される固定具は、リングまたは第１の吸着手段で構成されることを特徴とする。
【００１９】
また、前記第２の部材は第２の吸着手段からなることを特徴とする。
【００２０】
尚、前記第１の吸着手段と第２の吸着手段は、吸着板と、前記吸着板を前記窓ガラス面に吸着させるためのレバーと、からなることを特徴とする。
【００２１】
また、前記延長ベルト締結具には、延長ベルトの引張力ゲージが設けられることを特徴とする。
【００２２】
さらに、前記延長ベルトには、そのベルトの長さ調節具が設けられることを特徴とする。
【００２３】
また、前記高さ調節具は、少なくとも２つ以上の棒をネジ結合して高さの調節ができるように構成されることを特徴とする。
【００２４】
尚、前記高さ調節具に加えられる圧力を測定することができる圧力感知センサー及び表示装置が前記支持板に設けられることを特徴とする。
【発明の効果】
【００２５】
本発明の窓ガラス保護用支持具は、窓ガラス支持用本体と、前記本体から放射状に一端が着脱自在に締結されて延長される複数の延長ベルトと、前記各延長ベルトの他端に構成される第１の吸着板と、からなり、前記窓ガラス支持用本体は、前記複数の延長ベルトの一端が放射状に締結されて高さの調節が可能な第１の部材と、前記第１の部材の一面側に設けられて窓ガラスと接触するように構成される第２の吸着板と、を備えることで、窓ガラスに作用する風圧を均一に分散させて支持することができる効果が得られる。
【００２６】
尚、窓ガラスのサイズにかかわらず、いかなる窓ガラスにも簡単に着脱可能であり、使用後の保管が容易であるという長所がある。
【００２７】
さらに、窓ガラスのサイズに応じて第１の部材の高さを適切に調節して延長ベルトの角度を調整することで、窓ガラスの支持効果を極大化することができる。
【図面の簡単な説明】
【００２８】
【図１】第１の実施例の窓ガラス保護用支持具を示す立体図である。
【図２】第１の実施例の窓ガラス保護用支持具が設けられた状態を示す平面図である。
【図３】第１の実施例の窓ガラス保護用支持具が設けられた他の例の状態を示す平面図である。
【図４】第１の実施例の窓ガラス保護用支持具を構成する窓ガラス支持用本体の断面図である。
【図５】第１の実施例の窓ガラス保護用支持具を構成する固定具の断面図である。
【図６】第１の実施例の窓ガラス保護用支持具を構成する窓ガラス支持用本体の他の例を示す断面図である。
【図７】第２の実施例の窓ガラス保護用支持具を示す立体図である。
【図８】第２の実施例の窓ガラス保護用支持具を構成する窓ガラス支持用本体の断面図である。
【図９】第２の実施例の窓ガラス保護用支持具が設けられた状態を示す平面図である。
【発明を実施するための形態】
【００２９】
以下、図１ないし図９を参考にしながら、本発明の窓ガラス保護用支持具の技術構成及び作用効果について具体的に説明する。
【００３０】
[第１の実施例]
第１の実施例は、図１ないし図６を主に参考にしながら説明する。
【００３１】
第１の実施例の窓ガラス保護用支持具１００は、図１及び図４に示すように、窓ガラス支持用本体５０と、前記窓ガラス支持用本体から放射状に締結される延長ベルト６０と、を備える。
【００３２】
前記窓ガラス支持用本体５０は、延長ベルトが締結される第１の部材１０と、前記第１の部材の一面側に固定され、窓ガラスと接触可能に構成される第２の部材２０と、からなる。
【００３３】
前記第１の部材１０は、支持板１１と、前記支持板に一端が固定されて立設される高さ調節具１２と、前記高さ調節具の上端に固定される延長ベルト締結具１５と、を備える。  前記高さ調節具１２は、２つの棒１２ａ、１２ｂを直線状にネジ結合して構成され、棒１２ｂの上端には回転ハンドル１３が取り付けられた軸１４が嵌め込まれて結合される。
【００３４】
延長ベルト締結具１５は円板からなり、円板の周縁部にその原板の円周面に沿って一定の間隔で多数の孔１５ａが構成される。前記延長ベルト締結具１５は中心が軸１４に嵌め込まれて結合される。前記延長ベルト締結具１５の上面は軸１４に形成された突起１４ａにかかって支持され、下面は棒１２ｂに一端が支持されたバネ１６によって弾支される。
【００３５】
延長ベルト締結具の孔１５ａに延長ベルト６０の一端を直接に連結して固定しても良く、図１に示すように、延長ベルト６０の引張力を知ることができる延長ベルト引張力ゲージ６５を介して延長ベルト６０の一端と連結しても良い。
【００３６】
図１では、前記延長ベルト引張力ゲージ６５をそれぞれの延長ベルトごとに設ける構造を例示しているが、この構造に限らず、引張力ゲージ６５の代わりに、図６に示すように、棒１２ａの下端が押す圧力を感知できるように支持板１１に設けられる圧力感知センサー８０ａと、前記圧力感知センサー８０ａから感知された圧力を数値に表示する表示装置８０と、を支持板１１に備えることができる。圧力感知センサー８０ａから感知された信号は配線８０ｂを通じて表示装置８０へ入力される。上記のように、支持板１１に圧力感知センサー８０ａが設けられる構造では、支持板１１に固定される棒１２ａの下端の圧力が圧力感知センサー８０ａにそのまま伝えられるように、支持板から離脱されないながらも、やや流動する状態で結合されなければならない。
【００３７】
前記支持板１１に圧力感知センサー８０ａを設けると、延長ベルトごとに引張力ゲージ６５を設ける必要がなくなり、窓ガラス支持用本体５０に加えられる全体の圧力を一つの圧力感知センサー８０ａで容易に測定することができる。
【００３８】
上記のように構成される窓ガラス支持用本体５０は、軸１４を介して棒１２ｂと固定された回転ハンドル１３を時計回り方向または反時計回り方向に回して棒１２ａと棒１２ｂとの間の間隔を縮めたり伸ばしたりして、高さ調節具１２の長さを適切に調整することができる。
【００３９】
一方、前記第１の部材の支持板１１に固定されて窓ガラスと接触可能に構成される第２の部材２０は、吸着手段を構成するものであって、吸着板２１と、前記吸着板２１を窓ガラス面に吸着させるためのレバー２２と、からなる。
【００４０】
前記吸着板２１は、外形が漏斗状に形成された支持板１１の下面にゴム［００４３］またはシリコン材を用いて構成される。前記吸着板２１の中央を、気密の状態で支持板１１に固定されるレバー２２を用いて支持板１１の方に引っ張ると、吸着板２１と接するガラス面と吸着板との間に低圧の密閉空間が生成され、吸着板２１がガラス面に強く密着して固定される。前記吸着板２１とレバー２２からなる吸着手段は既に知られている公知技術を用いて構成することができる。
【００４１】
また、延長ベルト６０には延長ベルトの長さを調整する長さ調節具６６が設けられる。延長ベルト締結具１５に延長ベルト引張力ゲージ６５を介して結合される延長ベルトの一端に連結リング６７が固定され、他端に固定具６８が設けられる。
【００４２】
前記固定具６８は、図５に示すように、吸着手段を構成する吸着板１５９と、前記吸着板が固定される支持体１５７と、前記支持体に固定されて前記吸着板１５９の中央を支持体１５７の方に引っ張ることができるように構成されるレバー１５６と、からなる。
【００４３】
前記固定具６８と延長ベルト６０の他端は連結リング６９ａ、６９ｂを媒介として締結される。
【００４４】
前記固定具６８は、第２の部材２０を構成する吸着手段と同一の技術を用いても良く、図３に示すように、一般的なリングを用いて構成しても良い。
【００４５】
上記のように構成される本発明の窓ガラス保護用支持具１００を窓ガラスに設ける過程は、図１及び図２を参考にしながら説明する。
【００４６】
まず、延長ベルト締結具の孔１５ａに複数の延長ベルト６０を放射状に配置できるように締結し、高さ調節具１２を窓ガラスのサイズを考慮して適切に調整する。
【００４７】
上記のように窓ガラス保護用支持具１００を予め調整した上、居間の内側の窓ガラス５００の中央に吸着板２１を接触させ、レバー２２を用いて吸着板２１を窓ガラス５００に圧搾して固定する。
【００４８】
続いて、それぞれの延長ベルト６０の他端に構成された固定具６８の吸着板１５９を居間の内側の窓ガラス５００の角部分に圧搾して固定した後、ベルトの長さ調節具６６を用いて延長ベルト６０をぴんと引っ張って固定する。上記のような状態で高さ調節具１２を改めて微細に調整して、延長ベルトが適当な引張力を有するように調整する。
【００４９】
前記延長ベルト６０の適切な引張力の調整によって、窓の中央に集中される風圧を窓の周縁の方に分散させて窓ガラスを保護する役割を行う。
【００５０】
固定具６８が吸着板で構成されず、一般的なリングで構成される場合は、図３に示すように、居間の内側の窓ガラス５００の窓枠５５０や壁などにリングをかけて固定すれば良い。
【００５１】
[第２の実施例]
第２の実施例は、図７ないし図９を主に参考にしながら説明する。
【００５２】
第２の実施例の窓ガラス保護用支持具２００は、図７及び図８に示すように、窓ガラス支持用本体１５０と、前記窓ガラス支持用本体から放射状に締結される延長ベルト１６０と、を備える。前記窓ガラス支持用本体１５０は、延長ベルトが締結される第１の部材１１０と、前記第１の部材の一面側に固定されて窓ガラスと接触可能に構成される第２の部材１２０と、からなる。
【００５３】
前記第１の部材１１０の周縁には、リングからなる延長ベルト締結具１１５を備える。前記延長ベルト締結具１１５は、一定の間隔で円を成すように配置される。前記延長ベルト締結具１１５には、延長ベルト１６０の引張力を知ることができる延長ベルト引張力ゲージ１６５を介して延長ベルト１６０の一端と連結される。
【００５４】
前記第１の部材に固定されて窓ガラスと接触可能に構成される第２の部材１２０は伸縮部材で構成される。
【００５５】
前記伸縮部材からなる第２の部材１２０は、第１の部材１１０に固定される空気袋１２２と、その空気袋に取り付けられるシリコン材１２１からなる。
【００５６】
前記第２の部材１２０は、伸縮部材の代わりに、図１に示す吸着手段で構成しても良い。
【００５７】
一方、延長ベルト１６０には、延長ベルトの長さを調整する長さ調節具１６６が設けられる。延長ベルト締結具１１５に延長ベルト引張力ゲージ１６５を介して結合される延長ベルトの一端に連結リング１６７が固定され、他端に固定具１６８が設けられる。
【００５８】
前記固定具１６８は、吸着板２５９と、前記吸着板が固定される支持体２５７と、前記支持体に固定されて前記吸着板２５９の中央を支持体２５７の方へ引っ張ることができるように構成されるレバー２５６と、からなる。
【００５９】
上記のように構成される本発明の窓ガラス保護用支持具２００を窓ガラスに設ける過程は、図７及び図９を参考にしながら説明する。
【００６０】
まず、延長ベルト締結具１１５に複数の延長ベルト１６０を放射状に配置できるように締結する。
【００６１】
次に、それぞれの延長ベルト１６０の他端に構成された固定具１６８の吸着板２５９を居間の内側の窓ガラス５００の角部分にレバー２５６を用いて圧搾して固定する。
【００６２】
続いて、第１の部材を構成するシリコン材１２１が居間の内側の窓ガラスの中央に位置するように、ベルトの長さ調節具１６６を用いて延長ベルトの長さ及び引張力を適切に調整する。
【００６３】
以上で説明した第１の実施例及び第２の実施例の窓ガラス保護用支持具は、本願の明細書に示されている図面及び詳細な説明に記載された内容に限定されず、発明の目的及び請求範囲を超えない範囲内で多様な変形を行うことが可能である。
【符号の説明】
【００６４】
１０、１１０  第１の部材
１１  支持板
１２  高さ調節具
１２ａ、１２ｂ  棒
１３  回転ハンドル
１４  軸
１４ａ  突起
１５、１１５  延長ベルト締結具
１５ａ  孔
１６  バネ
２０、１２０  第２の部材
２１、１５９、２５９  吸着板
２２、１５６、２５６  レバー
５０、１５０  窓ガラス支持用本体
６０、１６０  延長ベルト
６５、１６５  延長ベルト引張力ゲージ
６６、１６６  長さ調節具
６７、６９ａ、６９ｂ、１６７  連結リング
６８、１６８  固定具
８０  表示装置
８０ａ  圧力感知センサー
８０ｂ  配線
１００、２００  窓ガラス保護用支持具
１２１  シリコン材
１２２  空気袋
１５７、２５７  支持体
５００  窓ガラス
５５０  窓枠
【図１】
2015532372.tif 000003
【図２】
2015532372.tif 000004
【図３】
2015532372.tif 000005
【図４】
2015532372.tif 000006
【図５】
2015532372.tif 000007
【図６】
2015532372.tif 000008
【図７】
2015532372.tif 000009
【図８】
2015532372.tif 000010
【図９】
2015532372.tif 000011
【国際調査報告】
2015532372.tif 000012
2015532372.tif 000013
2015532372.tif 000014
2015532372.tif 000015